(57)【要約】      （修正有）【課題】主信号処理デバイスをアクセスできる領域の制限をなくし、主信号処理デバイスのデバックを容易に行うことができる伝送装置を提供する。【解決手段】主信号処理を行う主信号処理デバイスと、通常運用モード時に主信号処理デバイスにデータを設定し、データを読み出して主信号処理デバイスを監視制御すると共に、デバッグモード時に主信号処理デバイスのデバッグを行う監視制御部と、監視制御部と主信号処理デバイスの間のアドレス及びデータを仲介する仲介部とよりなる伝送装置であって、通常運用モード時に仲介部の出力するアドレス及びデータを選択し、デバッグモード時に監視制御部から供給されるアドレス及びデータを選択して主信号処理デバイスに供給する第１の選択部と、通常運用モード時に仲介部の出力するデータを選択し、デバッグモード時に主信号処理デバイスから供給されるデータを選択して監視制御部に供給する第２の選択部を有する。【選択図】図４
2008022116.tif 000002
【特許請求の範囲】
【請求項１】
主信号処理を行う主信号処理デバイスと、通常運用モード時に前記主信号処理デバイスにデータを設定し、前記主信号処理デバイスからデータを読み出して前記主信号処理デバイスを監視制御すると共に、デバッグモード時に前記主信号処理デバイスのデバッグを行う監視制御部と、前記監視制御部と前記主信号処理デバイスの間のアドレス及びデータを仲介する仲介部とよりなる伝送装置であって、
前記通常運用モード時に仲介部の出力するアドレスまたはアドレス及びデータを選択し、前記デバッグモード時に前記監視制御部から供給されるアドレスまたはアドレス及びデータを選択して前記主信号処理デバイスに供給する第１の選択部と、
前記通常運用モード時に仲介部の出力するデータを選択し、前記デバッグモード時に前記主信号処理デバイスから供給されるデータを選択して前記監視制御部に供給する第２の選択部を
有することを特徴とする伝送装置。
【請求項２】
請求項１記載の伝送装置において、
前記第２の選択部は、前記デバッグモード時に前記主信号処理デバイスからのデータが前記仲介部に供給されるのを阻止することを特徴とする伝送装置。
【請求項３】
請求項１または２記載の伝送装置において、
前記監視制御部は、通常運用モード時に前記主信号処理デバイスの論理アドレスを出力し、前記デバッグモード時に前記主信号処理デバイスの物理アドレスを出力することを特徴とする伝送装置。
【請求項４】
請求項３記載の伝送装置において、
前記仲介部は、通常運用モード時に前記監視制御部から供給される論理アドレスを前記主信号処理デバイスの物理アドレスに変換するアドレス変換手段を
有することを特徴とする伝送装置。
【請求項５】
請求項４記載の伝送装置において、
前記仲介部は、通常運用モード時に前記監視制御部から供給される論理アドレス及びデータを保持する書き込みメモリ手段と、
前記主信号処理デバイスから供給されるデータを保持する読み出しメモリ手段を
有することを特徴とする伝送装置。
【発明の詳細な説明】
【技術分野】
【０００１】
本発明は、伝送装置に関し、主信号処理デバイスと監視制御部と仲介部とよりなる伝送装置に関する。
【背景技術】
【０００２】
図１は、一般的な光伝送装置の構成図を示す。同図中、光伝送装置１は、主信号処理部２と、監視制御部３とより構成されている。主信号処理部２は、主信号処理デバイス４と仲介回路部５から構成され、監視制御部３は、通常運用部６とデバッグ部７から構成されている。
【０００３】
主信号処理デバイス４は、光ファイバー８から入力される光入力信号を終端し、例えばＳＯＮＥＴ，ＳＤＨ等の光信号におけるＳＯＨ，ＬＯＨ等のオーバーヘッドの監視を行い、光伝送装置の有する機能に応じて光信号のクロスコネクト／アッド／ドロップ等を行い、さらに光信号の増幅を行って、光ファイバー９から出力する。
【０００４】
仲介回路部５は、監視制御部３から供給される論理アドレスを主信号処理デバイス４の物理アドレスに変換し、監視制御部３から供給される設定データを保持して主信号処理デバイス４に書き込み、主信号処理デバイス４から定期的に状態データを読み出し保持して監視制御部３に渡す。
【０００５】
なお、仲介回路部５でアドレス変換を行うのは、主信号処理デバイス４が製品の型番や種類によって物理アドレスが様々に異なっているのに対して、監視制御部３の機能は主信号処理デバイス４が製品の型番や種類によらず一定であるからである。
【０００６】
監視制御部３の通常運用部６は、上位装置から供給される設定データを主信号処理デバイス４の各部に設定し、また、主信号処理デバイス４の状態を定期的に読み出して上位装置に通知する。
【０００７】
デバッグ部７には、デバッグ用端末１０が接続され、主信号処理デバイス４の各部の設定データの設定やプログラムのデバッグを行う。
【０００８】
図２は、従来の光伝送装置の一例のブロック図を示す。同図中、仲介回路部５内の書き込みメモリ１２に監視制御部３から外部バス１１を介して不定期に設定データ及び論理アドレスが書き込まれて保持される。
【０００９】
タイマ部１３からの定期的な書き込みタイミングにより、書き込みメモリ１２から設定データ及び書き込み論理アドレスが読み出されてインタフェース部１４に供給され、インタフェース部１４内のアドレス変換部１５で書き込み論理アドレスが主信号処理デバイス４の物理アドレスに変換された後、内部バス１６を介して主信号処理デバイス４に供給され、主信号処理デバイス４内のインタフェース部２１からライトレジスタ２２の上記物理アドレスで指示される領域に上記設定データが書き込まれる。設定データとしては例えばクロスコネクト情報や帯域情報等がある。
【００１０】
また、タイマ部１３からの定期的な読み出しタイミングにより、インタフェース部１４内の読み出し部１７は互いに異なる読み出し論理アドレスを順次発生してアドレス変換部１５に供給する。この読み出し論理アドレスはアドレス変換部１５で主信号処理デバイス４の物理アドレスに変換された後、内部バス１６を介して主信号処理デバイス４に供給され、リードレジスタ２３の上記物理アドレスで指示される領域から状態データが読み出される。状態データとしては例えばＳＯＨ，ＬＯＨ等のオーバーヘッドから得られる監視情報や主信号処理デバイス４の動作状態等である。
【００１１】
読み出された状態データはインタフェース部２１からインタフェース部１４内の読み出し部１７に供給され、読み出し部１７によって読み出しメモリ１８に書き込まれる。読み出しメモリ１８に保持された状態データは監視制御部３から不定期に読み出される。
【００１２】
図３は、従来の光伝送装置における状態データ読み出しと設定データ書き込みのタイミングチャートを示す。タイマ部１３は図３（Ａ）に示す例えば１００ｍｓｅｃ等の一定周期でタイミング信号を発生する。これにより、読み出し部１７は図３（Ｂ）に「Ｒ」で示すタイミングでリードレジスタ２３をリードアクセスする。また、書き込みメモリ１２からの設定データは、図３（Ｂ）に「Ｗ」で示すようにリードアクセスの直後のタイミングで行われるライトアクセスでライトレジスタ２２に書き込まれる。
【００１３】
監視制御部３の通常運用部６は、図３（Ａ）に示すタイミング信号とは非同期に、図３（Ｃ）に示すように例えば１ｓｅｃ毎に読み出しメモリ１８から状態データを読み出し、また、必要に応じて書き込みメモリ１２に設定データ及び書き込み論理アドレスを書き込む。
【００１４】
なお、特許文献１には、ＩＣメモリカ−ドにダイレクトアクセス方式とインダイレクトアクセス方式のカードインターフエイス機能を持つことが記載されている。
【００１５】
特許文献２には、ＬＳＩ内の複数レジスタ一括設定レジスタに一度のソフトウェアアクセスを行うことにより、ＬＳＩ内の複数個のレジスタに、それぞれの初期値を一括設定できることが記載されている。
【特許文献１】特開平４−０５２８９１号公報
【特許文献２】特開２００５−３２７０７８号公報
【発明の開示】
【発明が解決しようとする課題】
【００１６】
近年、主信号処理デバイス４は回路の大規模化が進み、設定用のライトレジスタ２２や監視制御用のリードレジスタ２３の容量も膨大となり、それら全ての監視制御情報を監視制御部３に送信することは回路規模及び消費電力が増加することになるため、仲介回路部５では装置運用上で最低限必要なアドレスに対してのみアクセスできるようにアドレス変換機能を持たせている。
【００１７】
しかしながら、開発中の光伝送装置１の主信号処理デバイス４を実機で評価する段階において、想定外（設計範囲外）の問題が発生した場合、仲介回路部５で読み出しができるリードレジスタ２３の範囲が制限されており、主信号処理デバイス４内には仲介回路部５で読み出しができない領域が存在するため、主信号処理デバイス４のデバックが困難であるという問題があった。
【００１８】
本発明は、上記の点に鑑みなされたものであり、主信号処理デバイスをアクセスできる領域の制限をなくし、主信号処理デバイスのデバックを容易に行うことができる伝送装置を提供することを目的とする。
【課題を解決するための手段】
【００１９】
本発明の一実施態様による伝送装置は、主信号処理を行う主信号処理デバイスと、通常運用モード時に前記主信号処理デバイスにデータを設定し、前記主信号処理デバイスからデータを読み出して前記主信号処理デバイスを監視制御すると共に、デバッグモード時に前記主信号処理デバイスのデバッグを行う監視制御部と、前記監視制御部と前記主信号処理デバイスの間のアドレス及びデータを仲介する仲介部とよりなる伝送装置であって、
前記通常運用モード時に仲介部の出力するアドレスまたはアドレス及びデータを選択し、前記デバッグモード時に前記監視制御部から供給されるアドレスまたはアドレス及びデータを選択して前記主信号処理デバイスに供給する第１の選択部と、
前記通常運用モード時に仲介部の出力するデータを選択し、前記デバッグモード時に前記主信号処理デバイスから供給されるデータを選択して前記監視制御部に供給する第２の選択部を有することにより、主信号処理デバイスをアクセスできる領域の制限をなくし、主信号処理デバイスのデバックを容易に行うことができる。
【００２０】
前記伝送装置において、
前記第２の選択部は、前記デバッグモード時に前記主信号処理デバイスからのデータが前記仲介部に供給されるのを阻止する構成としても良い。
【００２１】
前記伝送装置において、
前記監視制御部は、通常運用モード時に前記主信号処理デバイスの論理アドレスを出力し、前記デバッグモード時に前記主信号処理デバイスの物理アドレスを出力する構成としても良い。
【００２２】
前記伝送装置において、
前記仲介部は、通常運用モード時に前記監視制御部から供給される論理アドレスを前記主信号処理デバイスの物理アドレスに変換するアドレス変換手段を
有する構成としても良い。
【００２３】
前記伝送装置において、
前記仲介部は、通常運用モード時に前記監視制御部から供給される論理アドレス及びデータを保持する書き込みメモリ手段と、
前記主信号処理デバイスから供給されるデータを保持する読み出しメモリ手段を
有する構成としても良い。
【発明の効果】
【００２４】
本発明によれば、主信号処理デバイスをアクセスできる領域の制限をなくし、主信号処理デバイスのデバックを容易に行うことができる。
【発明を実施するための最良の形態】
【００２５】
以下、図面に基づいて本発明の実施形態について説明する。
【００２６】
<本発明の構成>
図４は、本発明の光伝送装置の一実施形態のブロック図を示す。同図中、仲介回路部５には、書き込みメモリ３１、読み出しメモリ３２、タイマ部３３、インタフェース部３４が設けられ、インタフェース部３４内にはアドレス変換部３５、選択部３６，３７、読み出し部３８が設けられている。
【００２７】
また、主信号処理デバイス４には、インタフェース部４３、ライトレジスタ４４、リードレジスタ４５が設けられている。監視制御部３には、通常運用部４６、デバッグ部４７が設けられている。
【００２８】
<通常運用モード>
通常運用モード時においては、仲介回路部５内の書き込みメモリ３１に監視制御部３の通常運用部４６から外部バス４１を介して不定期に設定データ及び論理アドレスが書き込まれて保持される。
【００２９】
タイマ部３３からの定期的なタイミングにより、書き込みメモリ３１から設定データ及び書き込み論理アドレスが読み出されてインタフェース部３４に供給され、インタフェース部３４内のアドレス変換部３５で書き込み論理アドレスが主信号処理デバイス４の物理アドレスに変換されて選択部３６の入力部Ａに供給される。
【００３０】
選択部３６は入力部Ｂを外部バス４１のデータバス及びアドレスバスに接続されると共に、外部バス４１の制御線からモード制御信号を供給されている。モード制御信号は通常運用モードかデバッグモードかを指示するもので、選択部３６はモード制御信号が通常運用モードの場合は入力部Ａのデータ及びアドレスを選択して出力し、モード制御信号がデバッグモードの場合は入力部Ｂのデータ及びアドレスを選択して出力する。
【００３１】
通常運用モード時に選択部３６からアドレス変換部３５を経た設定データ及び物理アドレスが取り出され、内部バス４２を介して主信号処理デバイス４に供給される。これにより、主信号処理デバイス４内のインタフェース部４３からライトレジスタ４４の上記物理アドレスで指示される領域に上記設定データが書き込まれる。設定データとしては例えばクロスコネクト情報や帯域情報等がある。
【００３２】
また、通常運用モード時においては、タイマ部３３からの定期的なタイミングにより、インタフェース部３４内の読み出し部３８は互いに異なる読み出し論理アドレスを順次発生してアドレス変換部３５に供給する。この読み出し論理アドレスはアドレス変換部３５で主信号処理デバイス４の物理アドレスに変換された後、選択部３６から内部バス４２を介して主信号処理デバイス４に供給され、リードレジスタ４５の上記物理アドレスで指示される領域から状態データが読み出される。状態データとしては例えばＳＯＨ（Ｓｅｃｔｉｏｎ  ＯｖｅｒＨｅａｄ），ＬＯＨ（Ｌｉｍｅ  ＯｖｅｒＨｅａｄ）等のオーバーヘッドから得られる監視情報や主信号処理デバイス４の動作状態等である。これにより読み出された状態データはインタフェース部４３からインタフェース部３４内の選択部３７に供給される。
【００３３】
選択部３７は出力部Ａを読み出し部３８に接続され、出力部Ｂを外部バス４１のデータバスに接続されると共に、外部バス４１の制御線からモード制御信号を供給されており、選択部３７はモード制御信号が通常運用モードの場合は出力部Ａを選択してデータを出力し、モード制御信号がデバッグモードの場合は出力部Ｂを選択してデータを出力する。
【００３４】
このため、通常運用モード時では、状態データは選択部３７から読み出し部３８に供給され、読み出し部３８によって読み出しメモリ３２に書き込まれる。読み出しメモリ３２に保持された状態データは監視制御部３から不定期に読み出される。
【００３５】
図５は、本発明の光伝送装置における状態データ読み出しと設定データ書き込みのタイミングチャートを示す。図５（Ｄ）に示すモード制御信号は、ローレベルで通常運用モードを示し、ハイレベルでデバッグモードを示している。
【００３６】
タイマ部３３は図５（Ａ）に示す例えば１００ｍｓｅｃ等の一定周期でタイミング信号を発生する。通常運用モードでは、上記タイミング信号により、読み出し部３８は図５（Ｂ）に「Ｒ」で示すタイミングでリードレジスタ４５をリードアクセスする。また、書き込みメモリ３１からの設定データは、図５（Ｂ）に「Ｗ」で示すようにリードアクセスの直後のタイミングで行われるライトアクセスでライトレジスタ４４に書き込まれる。
【００３７】
通常運用モードでは、監視制御部３の通常運用部４６は、図５（Ａ）に示すタイミング信号とは非同期に、図５（Ｃ）に示すように例えば１ｓｅｃ毎に読み出しメモリ３２から状態データを読み出し、また、必要に応じて書き込みメモリ３１に設定データ及び書き込み論理アドレスを書き込む。
【００３８】
<デバッグモード>
監視制御部３のデバッグ部４７はデバッグモード時に読み出し用の物理アドレスまたは書き込み用の物理アドレスとデバッグデータを出力する。ここで、デバッグ部４７が論理アドレスではなく物理アドレスを出力するのは、リードレジスタ４５に限らずライトレジスタ４４を含む主信号処理デバイス４の全てのレジスタに対してアクセスするためである。
【００３９】
デバッグモード時においては、仲介回路部５内の書き込みメモリ３１やインタフェース部３４のアドレス変換部２５を経由することなく、監視制御部３のデバッグ部４７から外部バス４１に出力された読み出し用の物理アドレスまたは書き込み用の物理アドレスとデバッグデータが選択部３６の入力部Ｂに供給される。
【００４０】
そして、モード選択信号に応じて選択部３６にて上記読み出し用の物理アドレスまたは書き込み用の物理アドレスとデバッグデータが選択され、内部バス４２を介して主信号処理デバイス４に供給される。このとき、通常運用部４６からのアクセスに応じたアドレス変換部からのライトレジスタ４４、リードレジスタ４５に対するアクセスは、選択部３８で非選択となる。このため、図５（Ｂ）に破線で示すように、読み出し部３８による主信号処理デバイス４に対するリードアクセス及びライトアクセスは停止する。そして、デバッグ部４７による主信号処理デバイス４のダイレクトアクセスが行われる。
【００４１】
このように、デバッグモード時においても、監視制御部３の通常運用部４６が、図５（Ｃ）に示すように例えば１ｓｅｃ毎に書き込みメモリ３１に、例えばライトレジスタに対する書き込みデータを設定したとしても、このデータは選択部３６で選択されていないため、デバッグ部４７でライトレジスタに設定したデータが通常運用部からの書き込み指示により上書きされることがなく、デバッグ作業を混乱なく進めることができる。
【００４２】
このダイレクトアクセスで主信号処理デバイス４から読み出された検証データ（デバッグ部４７が出力した読み出し用の物理アドレスに応じたデータ、またはデバッグ部４７が書き込み用の物理アドレスとデバッグデータに応じたデータ）は内部バス４２から選択部３７に供給され、選択部３７の出力部Ｂから外部バス４１のデータバスを経て監視制御部３のデバッグ部４７に供給される。また、ダイレクトアクセスで主信号処理デバイス４にデバッグデータが書き込まれる。
【００４３】
ところで、デバッグモード時においても、監視制御部３の通常運用部４６は、図５（Ｃ）に示すように例えば１ｓｅｃ毎に読み出しメモリ１８から状態データを読み出すが、デバッグモード時には選択部３７の選択によって読み出しメモリ３２には検証データが書き込まれることはない。
【００４４】
つまり、読み出しメモリ３２にはデバッグモードとなる直前の通常運用モード時の状態データが残っており、通常運用部４６では、この直前の通常運用モード時の状態データを読み出すために、デバッグモード時の検証データを例えばエラー状態を示す状態データと誤って読み出すおそれがない。
【００４５】
デバッグモード時に、主信号処理デバイス４のダイレクトアクセスによって発生した主信号処理デバイス４の内部の状態変化（例えば信号エラー状態）が通常運用部４６に検知されてしまうと、通常運用部４６は主信号処理デバイス４を異常状態として判定して、通信切断等のアクションを実行してしまいデバックの障害になるが、そのようなデバック障害のおそれをなくすことができる。
【００４６】
なお、選択部３６が請求項記載の第１の選択部に相当し、選択部３７が第２の選択部に相当し、アドレス変換部３５がアドレス変換手段に相当し、書き込みメモリ３１が書き込みメモリ手段に相当し、読み出しメモリ３２が読み出しメモリ手段に相当する。
【図面の簡単な説明】
【００４７】
【図１】一般的な光伝送装置の構成図である。
【図２】従来の光伝送装置の一例のブロック図である。
【図３】従来の光伝送装置における状態データ読み出しと設定データ書き込みのタイミングチャートである。
【図４】本発明の光伝送装置の一実施形態のブロック図である。
【図５】本発明の光伝送装置における状態データ読み出しと設定データ書き込みのタイミングチャートである。
【符号の説明】
【００４８】
１  光伝送装置
２  主信号処理部
３  監視制御部
４  主信号処理デバイス
５  仲介回路部
６  通常運用部
７  デバッグ部
３１  書き込みメモリ
３２  読み出しメモリ
３３  タイマ部
３４  インタフェース部
３５  アドレス変換部
３６，３７  選択部
３８  読み出し部
４３  インタフェース部
４４  ライトレジスタ
４５  リードレジスタ
４６  通常運用部
４７  デバッグ部
【図１】
2008022116.tif 000003
【図２】
2008022116.tif 000004
【図３】
2008022116.tif 000005
【図４】
2008022116.tif 000006
【図５】
2008022116.tif 000007